(57)【要約】【課題】画像を投影するプロジェクタ装置において、冷却ファンからの排気風の温度を低下して排出することにより、装置内の温度を安定化すると共に、排気口からの熱風が投影光の光路上に流れ込むのを防ぎ、投影画像上における揺らぎの発生を防止し、安定した投影画面を得る。【解決手段】画像を投影するプロジェクタ装置において、冷却風を与えてランプ８を冷却する冷却ファン６と、このランプ８を通過した排気風を冷却するペルチェ素子Ｐ１乃至Ｐ４と、本装置１内の空気温度を測定する温度センサ２０とを備え、温度センサ２０の検出電圧信号に基いて、冷却ファン６とペルチェ素子Ｐ１乃至Ｐ４の両方を制御すると共に、前面カバー部４の排気口４１の通気孔４２を投影光軸から離れる方向に配設し、投影画面の安定化を図る。【選択図】図２
2006215118.tif 000002
【特許請求の範囲】
【請求項１】
集光光学部で集光された光源からの光を、ＤＭＤ（デジタル・マイクロミラー・デバイス）に照射して、前記ＤＭＤにより形成された画像を投射光学部で投射して拡大画像を得るプロジェクタ装置において、
前記プロジェクタ装置の本体部と嵌合して前面を被う排気口を有する前面カバーと
前記光源を冷却するための冷却風を起こし、電圧で回転制御される冷却ファンと
前記冷却ファンの冷却風が前記光源を冷却することにより生ずる熱風を冷却するペルチェ素子と、
前記プロジェクタ装置内の温度を検出する少なくとも１つ以上の温度センサとを備え、
前記前面カバーの排気口は複数の通気孔を有し、その通気孔は前記プロジェクタ装置から排出される空気（排気）が前記投射光学部の投射方向から離れる方向に前記前面カバー内を斜めに貫通し、
前記ペルチェ素子は、前記光源の前記冷却ファンと反対側の位置、又は／及び前記前面カバーの内側の排気口に近接した位置に、その冷却表面が前記熱風に触れる向きに配設され、
前記温度センサは、前記プロジェクタ装置内の光源の近傍に配設され、前記プロジェクタ装置内の空気温度を検出して検出電圧信号を出力し、
前記温度センサの検出電圧信号に基いて、前記冷却ファンの回転数を変えて風量を制御すると共に、前記温度センサの検出電圧信号に基いて、前記ペルチェ素子への印加電圧を変えて該ペルチェ素子の表面温度を制御することにより、前記プロジェクタ装置からの排気の温度を制御することを特徴とするプロジェクタ装置。
【請求項２】
集光光学部で集光された光源からの光を、ＤＭＤ（デジタル・マイクロミラー・デバイス）に照射して、前記ＤＭＤにより形成された画像を投射光学部で投射して拡大画像を得るプロジェクタ装置において、
前記光源周辺を冷却するための冷却風を起こす冷却ファンと、
前記プロジェクタ装置から排気される空気（排気）の温度を電子的に低減する電子冷却素子と、
前記プロジェクタ装置からの排気の温度を検出する少なくとも１つ以上の温度センサとを備え、
前記温度センサの検出信号に基いて、前記冷却ファン、又は／及び前記電子冷却素子を制御することを特徴とするプロジェクタ装置。
【請求項３】
前記冷却ファンは、その回転数が電圧で制御され、
前記電子冷却素子をペルチェ効果を用いたペルチェ素子とし、
前記ペルチェ素子は、前記冷却ファンの冷却風が前記光源を冷却後、熱風となって通過する位置に配設され、
前記温度センサは、前記プロジェクタ装置内の環境温度を検出して検出信号を出力し、
前記温度センサの検出信号に基いて、前記冷却ファンの風量の制御を行うこと、又は／及び前記温度センサの検出信号に基いて、前記ペルチェ素子の表面温度の制御を行うことにより、前記プロジェクタ装置からの排気の温度を制御することを特徴とする請求項２に記載のプロジェクタ装置。
【請求項４】
前記温度センサは、検出した信号を検出電圧信号として出力し、
前記検出電圧信号に基いて、前記冷却ファンの回転数を変えて該冷却ファンからの風量を制御すること、及び前記ペルチェ素子への印加電圧を変えて該ペルチェ素子の表面温度を制御することを特徴とする請求項２又は３に記載のプロジェクタ装置。
【発明の詳細な説明】
【技術分野】
【０００１】
本発明は、テレビジョン映像をスクリーンに拡大して投影するプロジェクタ装置に係り、特に、装置内部からの排気熱を冷却する技術に関する。
【背景技術】
【０００２】
近年、テレビジョン受像機の表示画面の大型化と共に、テレビジョン映像をスクリーンに投射して、大画面映像を楽しむことができるプロジェクション・テレビジョン（以下、プロジェクタと略す）が、機器の小型化と輝度の向上により、注目され、需要が高まってきている。
【０００３】
プロジェクタの輝度を向上させるには、光源となるランプの輝度をできるだけ高くすることが必要とされる。しかしながら、ランプの高輝度化は大きな電力消費を伴うと共に、大きな発熱を伴うため、ランプの冷却化が不可欠となり、冷却ファン等により、ランプを含めた光学系全体の温度を下げ、プロジェクタ内の温度を一定の温度以下に抑えることが安全上必須とされている。従って、従来から、プロジェクタ内において、冷却ファンやペルチェ効果を用いたペルチェ素子を使用する等、種々の冷却対策が取られてきている。
【０００４】
この種の装置において、不特定多数の視聴者に対する光源ランプ漏れ光の影響と、冷却用排気ファンからの排気熱風や騒音の影響を軽減する目的で、送風ファンによる冷却後の熱風を装置外部に排出するための吹き出し口を装置外装ケースの前面に投影レンズと並べて配設したものが知られている（例えば、特許文献１参照）。
【０００５】
しかし、上記従来例におけるプロジェクタ装置では、装置外装ケースの前面に熱風排出用の排気口と投影レンズとを並べて配設しているのため、排気口から排出される熱風が投影レンズによる投影光の光路上に流れ込んで、この熱風の影響によりスクリーン上の投影画像に揺らぎ（ヒートウェーブ）が生じるという問題があった。
【０００６】
上記の投影画像上における揺らぎの発生のメカニズムについて図５を参照して説明する。プロジェクタ装置１０１において、光源となるランプ１０４からの光は、赤外線フィルタ（図示せず）や、ライトトンネル等の集光光学系（図示せず）を介して、キャスティングエンジン１０７に入射し、反射ミラー１０８で反射されて、映像信号のレベルで反射角が変化するＤＭＤ（デジタル・マイクロミラー・デバイス）１０９に入射し、このＤＭＤ１０９で反射された光が投影レンズ１０５によりスクリーン上に拡大投影される。
【０００７】
そして、プロジェクタ１０１の外装ケース１０３における図示で右側面と後面とにそれぞれ設けられた通気口１１１と通気口１１２とから装置本体１０２内に流入したランプ冷却用の空気は、送風ファン１０６によりランプ１０４の周辺部に送られる。そして、ランプ１０４の冷却後における熱風の一部は、外装ケース１０３の前面に設けられた排気口１１０から装置外部に排出されて、矢印Ｃに示されるように、投影レンズ１０５による投影光１２０の光路上に流れ込む。このため、投影光１２０の排気口１１０に近い部分の光が、排気口１１０から排出された熱風の影響を受けるので、スクリーン上の投影画像に揺らぎが生じる。
【０００８】
他の従来例として、ヒートパイプと、ペルチェ素子と、軸流ファンとを備えた冷却装置を液晶プロジェクタの光学装置に設け、液晶プロジェクタで生じた熱がヒートパイプを介してペルチェ素子で吸熱されると共に、このペルチェ素子が軸流ファンで冷却されて、光学装置が冷却されることにより、ヒートパイプを介して液晶プロジェクタの熱をペルチェ素子に移動させて光学装置を冷却するプロジェクタ装置がある（例えば、特許文献２参照）。しかし、ヒートパイプ、ペルチェ素子及び軸流ファン等による冷却装置を別途必要とするため、構造が複雑になり、コストアップになると共に、ペルチェ素子からの冷却風は光学装置を冷却するためのものであり、光学装置を冷却した後の排気風には直接作用していないので上記ヒートウェーブの問題を解決することはできない。
【０００９】
また、他の従来例として、液晶プロジェクタにおいて、液晶パネルを冷却するための冷却風を起こす冷却ファンと、冷却風を液晶パネルに導く導風ダクトとを備え、導風ダクト内にペルチェ素子を配置し、ペルチェ素子により冷却風の熱を吸熱することにより、冷却効果を向上させるものがある（例えば、特許文献３参照）。しかしながら、導風ダクト内にペルチェ素子を配置する等、構造が複雑であり、また、ペルチェ素子による冷却風は液晶パネルを冷却するもので、排気風を直接冷却するものでないので、上記ヒートウェーブの問題を解決することはできない。
【００１０】
さらに、他の従来例として、プロジェクタ装置のメインフレームに取付られ、ダイクロイックプリズムと、液晶パネルと、偏光板とで構成される光学要素を備え、放熱面部に放熱板を取り付けたペルチェ素子を持ち、その冷却面部をダクト内に露出して配設し、ファンと出風口との間をダクトで接続して、光学要素を冷却するプロジェクタ装置がある（例えば、特許文献４参照）。しかしながら、本装置においても、送風ファンからの冷却風を、ペルチェ素子でさらに冷却して光学要素を冷却するものであり、光学要素を冷却後の排気風を、直接冷却するものではなく、上記と同様に、ヒートウェーブの問題を解決することはできない。
【特許文献１】特開平１０−９０８１１号公報
【特許文献２】特開２００３−５７７５４号公報
【特許文献３】特開平８−１９４２０１号公報
【特許文献４】特開２００３−２３３１３２号公報
【発明の開示】
【発明が解決しようとする課題】
【００１１】
本発明は、上記の問題を解決するためになされたものであり、温度センサの検出電圧信号に基いて、冷却風を送る冷却ファンと、冷却風が光源を冷却後に高温化された熱風を冷却するペルチェ素子とを制御することにより、プロジェクタからの排気風の温度を低下させると共に、排気口の通気孔の方向を投影画像の光路から遠ざけることにより、排気風の熱風によるヒートウェーブの影響を低減させ、安定した投射画像を得ることができる小型、高輝度のプロジェクタ装置を提供することを目的とする。
【課題を解決するための手段】
【００１２】
上記目的を達成するために請求項１の発明は、集光光学部で集光された光源からの光を、ＤＭＤ（デジタル・マイクロミラー・デバイス）に照射して、前記ＤＭＤにより形成された画像を投射光学部で投射して拡大画像を得るプロジェクタ装置において、前記プロジェクタ装置の本体部と嵌合して前面を被う排気口を有する前面カバーと前記光源を冷却するための冷却風を起こし、電圧で回転制御される冷却ファンと、前記冷却ファンの冷却風が前記光源を冷却することにより生ずる熱風を冷却するペルチェ素子と、前記プロジェクタ装置内の温度を検出する少なくとも１つ以上の温度センサとを備え、前記前面カバーの排気口は複数の通気孔を有し、その通気孔は前記プロジェクタ装置から排出される空気（排気）が前記投射光学部の投射方向から離れる方向に前記前面カバー内を斜めに貫通し、前記ペルチェ素子は、前記光源の前記冷却ファンと反対側の位置、又は／及び前記前面カバーの内側の排気口に近接した位置に、その冷却表面が前記熱風に触れる向きに配設され、前記温度センサは、前記プロジェクタ装置内の光源の近傍に配設され、前記プロジェクタ装置内の空気温度を検出して検出電圧信号を出力し、前記温度センサの検出電圧信号に基いて、前記冷却ファンの回転数を変えて風量を制御すると共に、前記温度センサの検出電圧信号に基いて、前記ペルチェ素子への印加電圧を変えて該ペルチェ素子の表面温度を制御することにより、前記プロジェクタ装置からの排気の温度を制御するものである。
【００１３】
請求項２の発明は、集光光学部で集光された光源からの光を、ＤＭＤ（デジタル・マイクロミラー・デバイス）に照射して、前記ＤＭＤにより形成された画像を投射光学部で投射して拡大画像を得るプロジェクタ装置において、前記光源周辺を冷却するための冷却風を起こす冷却ファンと、前記プロジェクタ装置から排気される空気（排気）の温度を電子的に低減する電子冷却素子と、前記プロジェクタ装置からの排気の温度を検出する少なくとも１つ以上の温度センサとを備え、前記温度センサの検出信号に基いて、前記冷却ファン、又は／及び前記電子冷却素子を制御するものである。
【００１４】
請求項３の発明は、請求項２に記載のプロジェクタ装置において、前記冷却ファンは、その回転数が電圧で制御され、前記電子冷却素子をペルチェ効果を用いたペルチェ素子とし、前記ペルチェ素子は、前記冷却ファンの冷却風が前記光源を冷却後、熱風となって通過する位置に配設され、前記温度センサは、前記プロジェクタ装置内の環境温度を検出して検出信号を出力し、前記温度センサの検出信号に基いて、前記冷却ファンの風量の制御を行うこと、又は／及び前記温度センサの検出信号に基いて、前記ペルチェ素子の表面温度の制御を行うことにより、前記プロジェクタ装置からの排気の温度を制御するものである。
【００１５】
請求項４の発明は、請求項２または請求項３に記載のプロジェクタ装置において、前記温度センサは、検出した信号を検出電圧信号として出力し、前記検出電圧信号に基いて、前記冷却ファンの回転数を変えて該冷却ファンからの風量を制御すること、及び前記ペルチェ素子への印加電圧を変えて該ペルチェ素子の表面温度を制御するものである。
【発明の効果】
【００１６】
請求項１の発明によれば、温度センサからの装置内温度の検出電圧信号に基いて、冷却風を送る冷却ファンの回転数と、冷却風が光源を冷却後に高温化された熱風を冷却するペルチェ素子の表面温度とを電子的に制御することにより、プロジェクタから排気される熱風の温度を自動的に低下させることができ、装置内の温度を許容温度範囲内に保つことができる。また、熱風を排出する排気口の通気孔の方向を、投射画像の光路から遠ざかる方向に配設することにより、装置から排気される熱風によるヒートウェーブの影響を低減できる。これにより、安定した美しい投射画像を得ることができる信頼性の高い、小型、高輝度のプロジェクタ装置を実現できる。
【００１７】
請求項２の発明によれば、プロジェクタ装置は、温度センサの検出信号に基き、冷却ファンと、電子冷却素子の両方の冷却作用を用いて装置内の温度を制御することができるので、プロジェクタ装置から排気される空気（排気）の温度を低下させることでき、ヒートウェーブの少ない、安定した美しい投射画像を得ることが可能なプロジェクタ装置を得ることができる。
【００１８】
請求項３の発明によれば、電子冷却素子としてサイズの小さいペルチェ素子を用いているので、装置を小型化でき、また、冷却ファンからの排気風に近い位置にペルチェ素子を配置し、温度センサから得られる環境温度の検出信号に基いて冷却ファンとペルチェ素子を制御できるので、熱風の温度を効率的に低下させることができる。
【００１９】
請求項４の発明によれば、温度センサの検出電圧信号に基き、ペルチェ素子と冷却ファンとが電圧で電子的に制御されるので、制御し易く、排気風の温度を迅速に精度よく制御することがきる。
【発明を実施するための最良の形態】
【００２０】
以下、本発明の一実施形態に係るプロジェクタについて図面を参照して説明する。図１は、本実施形態のプロジェクタ装置の外観を示す。プロジェクタ装置１（以下、プロジェクタと略す）は、テレビジョン受像機、ビデオテープレコーダ、ＤＶＤプレーヤ及びパソコン等から入力される画像データを基に画像を生成し、その画像をスクリーンに拡大して投影表示する装置である。プロジェクタ１は、装置本体２（本体部）の外装ケース３の前面に、画像を投影するための投影レンズ５と、装置本体２内部のランプの冷却に使用される空気（エアー）を装置本体２の外部に排出するために、外装ケース３の前面ケース部４に設けられた排気口４１と、ケース側面に設けられた排気口２２と、ケース背面に設けられた吸入口２３（図２参照）とを有している。
【００２１】
次に、上記プロジェクタ１の内部構造について図２を参照して説明する。装置本体２の外装ケース３内には、ランプボックス７と、このランプボックス７内に格納されたランプ８（光源）からの光に基いて画像を生成して投影するキャスティングエンジン１１（投射光学部）とが配設されている。ランプボックス７は、光源となるランプ８と、ランプ８から発せられた光を反射して集光させるランプリフレクタ９と、ランプリフレクタ９から出射された光から赤外線と紫外線を除去するカットフィルタ１０とを保持している。キャスティングエンジン１１は、このエンジン１１内に入射する光に対して波長等の影響を補正するためのタブレットレンズ１２（集光光学部）、このタブレットレンズ１２から出射された光を反射する反射ミラー１３、反射ミラー１３等により導かれた光に基いて、画像を生成するＤＭＤ（デジタル・マイクロミラー・デバイス）１４、ＤＭＤ１４により生成された画像を投射する投影レンズ５等を保持している。また、キャスティングエンジン１１は、ＤＭＤ１４と投影レンズ５との間にＤＭＤ１４を光熱から保護するためのＤＭＤカバー１５を有している。また、ランプボックス７とキャスティングエンジン１１との間には、４枚の板ガラスを張り合わせて筒状に構成したライトトンネル１６（集光光学部）と、色分解用のカラーホイール１７とが配設されている。
【００２２】
上記ＤＭＤ１４は、多数のマイクロミラーからなるＤＭＤミラーを有し、このＤＭＤミラーを構成する各マイクロミラーは、外部から入力される映像信号に基いて、ランプ８から反射ミラー１３等を介して入射される光を投影レンズ５に向けて反射する白画素の状態、又はこの光を投影レンズ５以外の方向に向けて反射する黒画素の状態に切り替えられる。この白画素と黒画素との切り替えはマイクロミラーの角度を変更することにより行われる。これにより、映像信号が光信号に変換され、投射画像が得られる。
【００２３】
図２において、ランプボックス７は、光源冷却用の冷却ファン６からの冷却風を通すため、冷却風の吸入側と排出側の各側面にそれぞれ通気網７１、７２を二つずつ設けている。外装ケース３の前面の前面カバー部４は、複数の排気口４１を有している。これらの各排気口４１には、投射画面の方向から遠ざかる方向に斜めに配設された通気孔４２が含まれる。また、前面カバー部４は、排気風を通気孔４２に導く導風板４３を有している。ランプボックス７の排出側の側面の通気網７２からの熱風を冷却するため、通気網７２に近接して、ペルチェ素子Ｐ１、Ｐ２が設けられ、さらに続けてランプボックス７からの排気の熱風を冷却するため、前面カバー部４（前面カバー）の排気口４１の内面に近接してペルチェ素子Ｐ３、Ｐ４が配設されている。また、本装置１内の環境温度を測定する温度センサ２０が、ランプボックス７の近傍や排気口４１近くの空気温度を測定できる位置に配設され、プロジェクタ装置内の空気温度を検出して検出電圧信号を出力し、この検出電圧信号に基き、冷却ファン６の回転数及びペルチェ素子Ｐ１〜Ｐ４の電圧を制御して、装置内の温度を調整する。この電圧制御により高速で精度の高い温度制御が可能となる。また、この温度制御は、測定温度により５段階程度に段階的に制御できるようにしている。
【００２４】
上記構成において、冷却ファン６からの冷却風は、ランプボックス７の側面の通気網７１からランプボックス７内に入り、ランプボックス７内のランプ８を冷却して、反対側の側面の通気網７２から排気される。この時、この排気風は、通気網７２に配設されたペルチェ素子Ｐ１、Ｐ２で冷却され、そして続けて、ペルチェ素子Ｐ３、Ｐ４に触れることにより、さらに冷却され、通気孔４２を通って排気口４１より、投射画像の光路２１から遠ざかる方向に斜めに排出される。ここで、導風板４３は、排気風の流れを通気孔４２に導くための空気の反射板である。同図の点線の矢印Ａは、冷却ファン６からの冷却風の流れを示す。この矢印が示すように、排気風は全て、投影画像の光路２１から遠ざかる方向に流れるので、排気風の熱風が投影画像の光路２１に入ってくることがなくなり、ヒートウェーブの影響を回避することができる。
【００２５】
図３は、図２におけるペルチェ素子Ｐ１、Ｐ２のランプボックス７への取り付けの具体的構成を示す。同図において、ランプボックス７は、通気網７２ａ、７２ｂ、７２ｃ、７２ｄを横方向に橋渡しするブリッジ７７ａ、７７ｂ、７７ｃ、７７ｄを有している。ブリッジ７７ａ、７７ｂ間にはペルチェ素子Ｐ１が、ブリッジ７７ｃ、７７ｄ間にはペルチェ素子Ｐ２が、それぞれの冷却面をランプボックス７側に向けて配設されている。各ペルチェ素子Ｐ１、Ｐ２は、電源が供給されるための不図示のリード線を有している。ここで、冷却ファン６から送風される矢印Ｂの方向からの冷却風は、ランプ８で熱せられて熱風となるが、この熱風は、ペルチェ素子Ｐ１、Ｐ２の冷却面に直接触れるので効率的に冷却される。また、ペルチェ素子Ｐ１、Ｐ２の保持をランプボックス７の筐体で行うことにより、取り付けが簡単で場所も取らないので、装置の小型化が可能となる。
【００２６】
次に、プロジェクタ１内の環境温度をコントロールする制御の流れを、図４に示すフローチャートを参照して説明する。先ず、予めプロジェクタ１内の環境温度の許容温度範囲（８０℃以内）を設定し（Ｓ１）、次に、温度センサ２０で装置内のランプ８近傍の空気温度が測定される（Ｓ２）。そして、プロジェクタ１内の各種制御を行うために設けられたマイクロコンピュータ（以下、マイコンと略す）において、この測定温度と先の設定温度とを比較し（Ｓ３）、もし、測定温度が許容温度範囲内であれば（Ｓ４でＹＥＳ）、冷却ファンの回転数は現状のまま維持されると共に（Ｓ５）、冷却素子の温度も現状のまま維持され（Ｓ６）、本装置１内の温度が許容温度範囲内に維持される。そして、温度測定のステップにフィードバックされて（Ｓ２）、装置内の温度が引き続き許容温度範囲内に維持されるように、マイコンで温度制御される。そして、Ｓ４において、もし、測定温度が設定された許容温度範囲内から外れ（Ｓ４でＮＯ）、許容温度範囲より高い場合は（Ｓ７でＹＥＳ）、冷却ファンの回転数を増加させると共に（Ｓ８）、ペルチェ素子への印加電圧を上げてその表面温度を下げることにより（Ｓ９）、装置内の温度が下がるように制御される。そして、温度測定ステップにフィードバックされて（Ｓ２）、装置内の温度が許容温度範囲内に入るまで繰り返し、マイコンで温度制御される。また、Ｓ７において、測定温度が許容温度範囲以下の場合（Ｓ７でＮＯ）、冷却ファン６の回転数を減らし（Ｓ１０）、さらにペルチェ素子への印加電圧を下げて表面温度を上げることにより（Ｓ１１）、装置内の温度を上げ、さらに、上記と同様に、温度測定ステップにフィードバックされて（Ｓ２）、装置内の温度が許容温度範囲内に入るように、マイコンで温度制御される。このような温度制御により、装置内の温度を許容温度範囲内に維持することが可能となる。
【００２７】
以上述べたように、本発明によるプロジェクタ１によれば、装置１内に配置した温度センサ２０の検出電圧信号に基き、冷却ファン６を制御すると共に、温度センサ２０の検出電圧信号に基き、ペルチェ素子Ｐ１乃至Ｐ４を制御することにより、装置１内の空気温度の冷却を二つの冷却作用によって強力かつ効果的に行える。また、プロジェクタ１からの排気風の温度を電子的に制御することができるので、プロジェクタ１の内部温度及び外部への排気温度を自動的に制御して、装置内の温度を常に許容温度範囲内に保つことができる。また、排気口４１の通気孔４２の方向を投射画像の光路２１から遠ざかる方向に配設することにより、高温の排気風により生じるヒートウェーブの影響をさらに低減させることができる。以上により、スクリーン上に投影された画像上における揺らぎの発生を防止し、安定した美しい投射画像を得られる、信頼性の高い、小型、高輝度のプロジェクタを実現できる。
【００２８】
なお、本発明は、上記実施形態に限られるものではなく、様々な変形が可能である。温度センサ及びペルチェ素子を装置内に複数個配置して、各位置の温度を検出して制御信号とすることにより、各位置のペルチェ素子の表面温度を変えて、きめ細かく装置内の温度を最適に調整することができる。また、ペルチェ素子として発熱面に放熱板を装着するモジュールタイプのものを使用してもよい。
【００２９】
また、上記実施形態は、電気信号としての映像信号を光信号の映像信号に変換するライトバルブとして、ＤＭＤ（デジタル・マイクロミラー・デバイス）を用いたが、液晶パネルを用いる液晶ライトバルブ等の他のライトバルブ使用のプロジェクタにも適用できる。
【図面の簡単な説明】
【００３０】
【図１】本発明の第１の実施形態に係るプロジェクタ装置の外観を示す斜視図。
【図２】上記プロジェクタ装置の内部構成を示す一部破断した平面図。
【図３】上記プロジェクタ装置内のランプボックスへのペルチェ素子の取り付け方を示す図。
【図４】上記プロジェクタ装置に温度制御処理を示すフローチャート。
【図５】従来のプロジェクタ装置における揺らぎの発生のメカニズムに関する説明図。
【符号の説明】
【００３１】
１  プロジェクタ（プロジェクタ装置）
２  装置本体（本体部）
４  前面カバー部（前面カバー）
６  冷却ファン
８  ランプ（光源）
１１  キャスティングエンジン（投射光学部）
１６  ライトトンネル（集光光学部）
２０  温度センサ
４１  排気口
４２  通気孔
Ｐ１，Ｐ２，Ｐ３，Ｐ４  ペルチェ素子
【図１】
2006215118.tif 000003
【図２】
2006215118.tif 000004
【図３】
2006215118.tif 000005
【図４】
2006215118.tif 000006
【図５】
2006215118.tif 000007